(57)【要約】【課題】人の行動パターンに対応して制御すべき電気機器を特定し、当該電気機器の省エネルギー操作をアドバイスし、省エネルギーを学習することが出来る電力管理装置を提供するものである。【解決手段】人の行動パターンと、その行動パターンの場合に必要とする電気機器および当該電気機器の省エネルギー時の消費電力とを記憶する記憶部４１０と、前記行動パターンを入力する入力部４０４と、前記入力された行動パターンに基づき、前記記憶部より、当該行動パターンの場合に必要とする電気機器および当該電気機器の省エネルギー時の消費電力を検索する検索部４１０１と、前記検索部によって検索された前記行動パターンの場合に必要とする電気機器および当該電気機器の省エネルギー時の消費電力とを表示する表示器４０３とを備える。【選択図】図２
2014087126.tif 000002
【特許請求の範囲】
【請求項１】
類型化された人の行動パターンの入力を受ける入力部と、
前記入力部が受ける各行動パターンと、その行動パターンに従った行動の際に使用される電気機器および当該電気機器の省エネルギー時の目標消費電力とを予め記憶する記憶部と、
入力された行動パターンに基づき、前記記憶部より、当該行動パターンで使用される電気機器および目標消費電力を検索する検索部と、
前記電気機器の消費電力を取得する消費電力取得部と、
前記検索部によって検索された目標消費電力と、前記消費電力取得部によって取得された消費電力とを比較するデータ処理部と、
前記データ処理部の比較の結果、電気機器の省エネルギー時の消費電力より、当該電気機器の消費電力が大きい場合、節電アドバイスを表示する表示器と
を備えることを特徴とする電力管理装置。
【請求項２】
更に、前記電気機器に対する節電の操作を受ける節電操作部を備え、前記行動パターンの場合に使用される電気機器の消費電力および／または節電アドバイスが表示された場合に、前記節電操作部が節電操作を受けたとき、前記表示部は、電気機器の消費電力低減操作および／または節電アドバイスに従った操作が行われたことを表示することを特徴とする請求項１に記載の電力管理装置。
【請求項３】
更に、前記消費電力取得部は、表示された電気機器の消費電力の低減操作および／または節電アドバイスに従った操作が行われた結果の電気機器の消費電力を取得し、前記表示部は、低減した電気機器の消費電力を表示することを特徴とする請求項１または２に記載の電力管理装置。
【請求項４】
前記消費電力の低減操作および／または節電アドバイスに従った操作が行われた結果の電気機器の消費電力によって、前記記憶部に記憶された目標消費電力を更新することを特徴とする請求項１から３までのいずれか１項に記載の電力管理装置。
【請求項５】
入力部が受ける各行動パターンと、その行動パターンに従った行動の際に使用される電気機器および当該電気機器の省エネルギー時の目標消費電力とを予め記憶する記憶部を備える電力管理装置の制御方法であって、
類型化された人の行動パターンの入力を受ける入力ステップと、
入力された行動パターンに基づき、前記記憶部より、当該行動パターンで使用される電気機器および目標消費電力を検索する検索ステップと、
前記電気機器の消費電力を取得する消費電力取得ステップと、
前記検索部によって検索された目標消費電力と、前記消費電力取得部によって取得された消費電力とを比較するデータ処理ステップと、
前記データ処理ステップの比較の結果、電気機器の省エネルギー時の消費電力より、当該電気機器の消費電力が大きい場合、節電アドバイスを表示する表示ステップと
をコンピュータによって実行する電力管理装置の制御方法。
【請求項６】
請求項５に記載の各ステップをコンピュータに実行させるための電力管理装置の制御プログラム。
【発明の詳細な説明】
【技術分野】
【０００１】
本発明は、電力管理装置、電力管理装置の制御方法および電力管理装置の制御プログラムに関し、特に、住宅に配置されている電気機器について、省エネルギー操作をアドバイスし、更に、ユーザが省エネルギーを学習することができる電力管理装置、その制御方法および制御プログラムに関する。
【背景技術】
【０００２】
近年、環境保護や省エネルギー問題の観点から、住宅で使用される電気機器の省エネルギー意識が高まっている。しかし、いつも省エネルギーを意識して電気器を使用しているわけではなく、また、どのようにすれば、省エネルギーに役立つのか明瞭に分からない場合がある。
例えば、特許文献１は、省エネルギー診断システムを提案するものであって、所定空間内の人の行動を人感センサーによって感知してその行動履歴を格納し、前記所定空間内にある電気機器の消費電力を監視し、人感センサーと電気機器の監視結果に基づいて、人の行動パターン毎に、電気機器の消費電力を推定して消費電力量の目標値を設定し、その消費電力量の目標値と、電気機器の電力履歴に基づいて算出した消費電力量の実績値を比較して、消費電力量の実績値が閾値以上である場合、消費電力を抑制する行動パターンを特定し、その行動パターンを報知するものである。
また、特許文献２は、住宅内に配置された複数の電気機器の消費電力を示す情報を受信する通信インターフェースと、複数の電気機器の各消費電力を示す情報を記憶するメモリとを備え、複数の電気機器のいずれかの消費電力を示す情報が消し忘れ、使い過ぎと判断される場合に、当該電気機器の消費電力に関する情報を出力するプロセッサを備えるものである。
【先行技術文献】
【特許文献】
【０００３】
【特許文献１】特開２０１１−２１００９７号公報
【特許文献２】特開２０１２−１３５１９２号公報
【発明の概要】
【発明が解決しようとする課題】
【０００４】
しかし、室内には、多種類の電気機器が複数存在し、人の行動パターンと電気機器の関係を節電の観点から、制御するのは複雑であり、どの行動のとき、どの電気機器をどの程度制御すればよいかは分かりにくい。
本発明は、このような問題に鑑みて、人の行動パターンに対応して、制御すべき電気機器を特定し、その電気機器について省エネルギー操作をアドバイスし、更に、ユーザが省エネルギーを学習することが出来る電力管理装置、電力管理装置の制御方法および電力管理装置の制御プログラムを提供するものである。
【課題を解決するための手段】
【０００５】
前記課題を解決するため、本発明の電力管理装置は、類型化された人の行動パターンの入力を受ける入力部と、前記入力部が受ける各行動パターンと、その行動パターンに従った行動の際に使用される電気機器および当該電気機器の省エネルギー時の目標消費電力とを予め記憶する記憶部と、入力された行動パターンに基づき、前記記憶部より、当該行動パターンで使用される電気機器および目標消費電力を検索する検索部と、前記電気機器の消費電力を取得する消費電力取得部と、前記検索部によって検索された目標消費電力と、前記消費電力取得部によって取得された消費電力とを比較するデータ処理部と、前記データ処理部の比較の結果、電気機器の省エネルギー時の消費電力より、当該電気機器の消費電力が大きい場合、節電アドバイスを表示する表示器とを備えることを特徴とする。
【０００６】
また、本発明の電力管理装置は、更に、前記電気機器に対する節電の操作を受ける節電操作部を備え、前記行動パターンの場合に使用される電気機器の消費電力および／または節電アドバイスが表示された場合に、前記節電操作部が節電操作を受けたとき、前記表示部は、電気機器の消費電力低減操作および／または節電アドバイスに従った操作が行われたことを表示するとよい。
【０００７】
また、本発明の電力管理装置は、更に、前記消費電力取得部は、表示された電気機器の消費電力の低減操作および／または節電アドバイスに従った操作が行われた結果の電気機器の消費電力を取得し、前記表示部は、低減した電気機器の消費電力を表示するとよい。
【０００８】
また、本発明の電力管理装置は、前記消費電力の低減操作および／または節電アドバイスに従った操作が行われた結果の電気機器の消費電力によって、前記記憶部に記憶された目標消費電力を更新するとよい。
【０００９】
本発明は、別の観点では、入力部が受ける各行動パターンと、その行動パターンに従った行動の際に使用される電気機器および当該電気機器の省エネルギー時の目標消費電力とを予め記憶する記憶部を備える電力管理装置の制御方法であって、類型化された人の行動パターンの入力を受ける入力ステップと、入力された行動パターンに基づき、前記記憶部より、当該行動パターンで使用される電気機器および目標消費電力を検索する検索ステップと、前記電気機器の消費電力を取得する消費電力取得ステップと、前記検索部によって検索された目標消費電力と、前記消費電力取得部によって取得された消費電力とを比較するデータ処理ステップと、前記データ処理ステップの比較の結果、電気機器の省エネルギー時の消費電力より、当該電気機器の消費電力が大きい場合、節電アドバイスを表示する表示ステップとをコンピュータによって実行する電力管理装置の制御方法である。
【００１０】
本発明は、別の観点では、電力管理装置の制御プログラムであって、上記各ステップをコンピュータに実行させるための電力管理装置の制御プログラムである。
【発明の効果】
【００１１】
本発明によれば、人の行動パターン毎に制御すべき電気機器を特定し、省エネルギーの操作をアドバイスし、更に、ユーザが省エネルギーの操作を学習することが出来る電力管理装置、電力管理装置の制御方法および電力管理装置の制御プログラムが提供される。
【図面の簡単な説明】
【００１２】
【図１】本発明の電力管理装置の全体構成を示す構成図である。
【図２】本発明の電力管理装置に用いられるコントローラを構成するブロック図である。
【図３】本発明の電力管理装置に用いられるスマートタップの外観図である。
【図４】本発明の電力管理装置に用いられるスマートタップを構成するブロック図である。
【図５】本発明の電力管理装置に用いられるコントローラによって表示される電気機器モニター画面を示す図である。
【図６】本発明の電力管理装置に用いられるコントローラによって表示される電力管理オブジェクトの選択操作画面を示す図である。
【図７】本発明の電力管理装置に用いられるコントローラによって表示される電力管理オブジェクトの詳細画面を示す図である。
【図８】本発明の電力管理装置に用いられるコントローラによって表示される一括操作画面を示す図である。
【図９】本発明の電力管理装置に用いられるコントローラによって表示される個別操作画面を示す図である。
【図１０】本発明の電力管理装置に用いられるコントローラによって表示されるスマートタップの電気機器登録画面を示す図である。
【図１１】本発明の電力管理装置に用いられるコントローラに格納される行動パターンと電気機器の関係表を示す図である。
【図１２】本発明の電力管理装置に用いられるコントローラに格納される行動パターンと各電気機器の目標消費電力表を示す図である。
【図１３】本発明の電力管理装置に用いられるコントローラに格納される各電気機器の設定と、消費電力の関係表を示す図である。
【図１４】本発明の電力管理装置に用いられるコントローラによって表示される消費電力リスト画面を示す図である。
【図１５】本発明の電力管理装置に用いられるコントローラによって表示されるアドバイスリクエスト画面を示す図である。
【図１６】本発明の電力管理装置に用いられるコントローラによって表示される行動パターンにおける各電気機器の消費電力比較表を示す図である。
【図１７】本発明の電力管理装置に用いられるコントローラによって表示される各電気機器の目標電力値を上回る電気機器の抽出表を示す図である。
【図１８】本発明の電力管理装置に用いられるコントローラによって表示される「節電アドバイス」を表示する画面を示す図である。
【図１９】本発明の電力管理装置に用いられるコントローラによって表示されるユーザの節電操作結果による各電気機器の消費電力値表を示す図である。
【図２０】本発明の電力管理装置に用いられるコントローラによって表示される節電実施前と節電実施後の一覧表を示す図である。
【図２１】本発明の電力管理装置に用いられるコントローラによって表示されるアドバイス要否表示す図である。
【図２２】本発明の電力管理装置の処理を説明するフローチャート図である。
【図２３】本発明の電力管理装置において、アドバイス可能電気機器抽出の詳細フローチャート図である。
【図２４】本発明の電力管理装置において、アドバイスの実施の場合の詳細フローチャート図である。
【図２５】本発明の電力管理装置において、ユーザの節電結果を送信する詳細フローチャート図である。
【図２６】本発明の電力管理装置において、消費電力値更新の詳細フローチャート図である。
【発明を実施するための形態】
【００１３】
以下に、本発明の電力管理装置に関し、実施の形態について説明する。
（電力管理装置の構成）
図１は、本発明の電力管理装置の全体構成を示す構成図である。
本発明の電力管理装置は、住宅あるいはオフィスに設置され、住宅あるいはオフィスに存在する電気機器の消費電力に関する電力情報を管理する。以下、住宅あるいはオフィスを含めて、住宅と言う。
【００１４】
図１に示すように、電力管理装置１は、リビングルームに配置されるエアコン１００Ａ、テレビ１００Ｂ、冷蔵庫１００Ｃなどの電気機器１００の消費電力に関する情報を管理する。ここに示した電気機器１００は、例示であり、これら以外に、照明器具、パソコン、プリンター、カーテン開閉装置、その他を含んでもよく、またこれらの一部であってもよい。また、図１は、リビングルームに配置される電気機器を示したが、本発明の電力管理装置は、１つの住宅の各部屋に配置された電気機器をすべて管理することが可能であり、１つの住宅内の各部屋に配置されたすべての電気機器を含めてもよい。また、電力管理装置１は、電気機器の消費電力だけでなく、住宅の屋根などに設置される太陽光発電装置、住宅の外壁付近に設置される燃料電池、コジェネレーションなど発電装置の発電電力に関する情報を管理してもよい。
【００１５】
各電気機器１００は、それぞれ電気機器１００の消費電力を測定し、コントローラ４００へ通信するスマートタップ２００Ａ〜２００Ｃを介して電力線３００に接続される。電力線３００は、ＣＴセンサー（Current Transformer Sensor）３０１を経て、分電盤５００に接続され、更に、パワーコンディショナ６００に接続される。パワーコンディショナ６００は、電力会社より電力系統８００によって提供される商用電力、ソーラーパネル９００から得られる発電電力、蓄電池１０００を充電または放電するための充放電電力を、効率の観点からバランスさせた上で、分電盤５００、ＣＴセンサー３０１を介して、電力線３００に接続された電気機器１００へ電力を供給する。即ち、パワーコンディショナ６００は、ソーラーパネル９００より得られる発電電力を最優先で電気機器に供給して消費し、余剰電力は蓄電池１０００に充電し、または電力会社へ売電する。また、パワーコンディショナ６００は、蓄電池１０００に充電された電力をピークカットのために消費し、深夜電力によって充電されるよう制御する。
なお、蓄電池１０００は、住宅に設置されるものであってもよいし、自動車に搭載している蓄電池を利用するものであってもよい。
【００１６】
コントローラ４００は、各電気機器１００にそれぞれ接続されたスマートタップ２００、ソーラーパネル９００、蓄電池１０００、パワーコンディショナ６００を監視・制御する。また、コントローラ４００は、電気機器の消費電力を低減させる操作、または節電アドバイスを表示し、その表示に従ってユーザが消費電力を低減させる操作、または節電アドバイスに従った操作が行われた場合、消費電力の低減操作、または節電アドバイスに従った操作が行われたことを表示する。このようにして、省エネルギーをアドバイスし、ユーザに省エネルギーの操作を学習させる。
コントローラ４００は、有線または無線のネットワーク３０２によって、各電気機器１００にそれぞれ接続されたスマートタップ２００、パワーコンディショナ６００、ソーラーパネル９００、蓄電池１０００との間でデータ通信を行なう。
また、電力管理装置１は、他の電力管理装置と連係し、インターネットと通信するため、外部サーバー７００を備え、コントローラ４００とネットワーク３０２により通信可能である。
【００１７】
ネットワーク３０２としては、有線の場合は、例えば、イーサネット（登録商標）、ＰＬＣ（Power Line Communications）などを利用することができる。また、無線の場合は、例えば、ＩＥＥＥ８０２．１１規格に準拠する無線ＬＡＮ、ＺｉｇＢｅｅ（登録商標）、Ｂｌｕｅｔｏｏｔｈ（登録商標）、赤外線通信方式などを利用することができる。これら通信方式は、複数組み合わせて利用してもよい。
【００１８】
（コントローラ）
図２はコントローラ４００を構成するブロック図を示し、コントローラ４００は、プロセッサであるＣＰＵ４０１と、ディスプレイ４０３及びタブレット４０４を含むタッチパネル４０２と、操作ボタン４０５と、通信インターフェース４０６と、出力インターフェース４０７と、入力インターフェース４０８と、ハードディスク４０９と、メモリ４１０と、スピーカー４１１を備える。コントローラ４００は、この他にプリンターやマウスなどを備えてもよい。コントローラ４００は、電力管理装置１における各電気機器の消費電力または各発電装置の発電電力の状態をユーザに示したり、ユーザから電力管理に関する指示を受けたりするような、ユーザインターフェースとして使用される。
コントローラ４００は、ポータブル型、テーブルなどに配置される据置型、部屋の壁に取り付けられる壁掛け型であってもよい。
【００１９】
上記ＣＰＵ４０１は、コントローラ４００の全体処理を司る処理主体部であり、メモリ４１０に予め格納されたプログラムを読み出して、メモリ４１０に展開し、所定の順序で処理することにより、本発明の電力管理装置としての処理を実行する。ＣＰＵ４０１は、タブレット４０４または操作ボタン４０５より入力されたユーザ操作に応答して、指示された処理を実行する。このような指示として、例えば、電気機器１００の運転または停止指示（省エネモードを含む）、パワーコンディショナ６００に対する制御モードの変更に関する指示、ディスプレイ４０３に現在、または過去の電力管理状態を表示する指示などがある。
【００２０】
タッチパネル４０２は、ディスプレイ４０３とタブレット４０４を重ね合わせて構成されるユーザインテーフェースであり、ディスプレイ４０３にＣＰＵ４０１からの命令によって各種情報、画像を表示する。タブレット４０４は、ユーザの指などによるタッチ操作を検出して、そのタッチ操作された位置を示す座標値をＣＰＵ４０１へ出力する。ディスプレイ４０３としては、液晶表示装置、有機ＥＬ表示装置などが使用される。タブレット４０４としては、抵抗膜式、誘電方式、赤外線方式などが使用される。
【００２１】
操作ボタン４０５は、ユーザ操作を受け付けるための入力手段であり、例えば、決定ボタン、戻りボタン、方向ボタン、テンキーなどである。これら操作ボタンは、ディスプレイ４０２の表示画面に表示され、タブレット４０４にタッチすることによって入力が受け付けられる、いわゆるソフトキーであってもよい。また、操作ボタン４０５に、キーボード、マウスのような入力手段を含めてもよい。
【００２２】
通信インターフェース４０６は、ネットワーク３０２に接続され、コントローラ４００が、ＣＰＵ４０１からの命令に従って、スマートセンサー２００、ソーラーパネル９００、蓄電池１０００、およびパワーコンディショナ６００などとの間でデータ通信を行なう。通信インターフェース４０６が使用する通信方式としては、上記のように、有線の場合は、例えば、イーサネット（登録商標）、ＰＬＣ（Power Line Communications）などを利用することができる。また、無線の場合は、例えば、ＩＥＥＥ８０２．１１規格に準拠する無線ＬＡＮ、ＺｉｇＢｅｅ（登録商標）、Ｂｌｕｅｔｏｏｔｈ（登録商標）、赤外線通信方式などを利用することができる。これら通信方式は、複数組み合わせて利用してもよい。
【００２３】
出力インターフェース４０７は、ＣＰＵ４０１とディスプレイ４０３との間の内部コマンドのやり取りを仲介する。
入力インターフェース４０８は、タブレット４０４および／または操作ボタン４０５とＣＰＵ４０１との間の内部コマンドのやり取りを仲介する。
ハードディスク４０９は、コントローラ４００での情報処理に必要な各種データを格納する。
メモリ４１０は、揮発性記憶装置であるＲＡＭ、不揮発性記憶装置であるＲＯＭ等が使用され、ＣＰＵ４０１によって実行されるプログラムやＣＰＵ４０１のプログラムの実行に必要なワークデータを格納する。
スピーカー４１１は、ＣＰＵ４０１からの命令によってユーザに報知するため音声を出力する。
時計４１２は、ＣＰＵ４０１からの命令に従って、現在の日付や時刻をＣＰＵ４０１へ応答する。
【００２４】
ハードディスク４０９および／またはメモリ４１０は、プログラムやデータを格納する部分であり、フラッシュメモリ、マスクＲＯＭ，ＥＰＲＯＭ、ＥＥＰＲＯＭ、ＩＣカードのような半導体記憶媒体、ＣＤ−ＲＯＭやＤＶＤ−ＲＯＭなどの光学ディスク記憶媒体、ＭＯやＭＤなどの光磁気ディスク記憶媒体、ＦＤ、磁気テープ、カセットテープなどの磁気記憶媒体を使用することができる。また、ハードディスク４０９および／またはメモリ４１０は、コントローラ４００に備えておく必要はなく、通信インターフェースを介して利用可能な記憶媒体を使用してもよい。
【００２５】
メモリ４１０は、人の行動パターンとその行動パターンに使用される電気機器の関係表（表１）と、その電気機器を使用した場合の行動パターンにおける各電気機器の目標消費電力表（表２）と、各電気機器の設定と消費電力の関係表（表３）と、各行動パターンの場合に使用される電気機器の消費電力と、その行動パターン時の目標消費電量との比較表（表４）と、表４による比較の結果、目標消費電力を上回る電気機器の抽出表（表５）と、ユーザの現在の行動パターン時の各電気機器の消費電力表（表６）と、ユーザの節電操作の結果による各電気機器の消費電力表（表７）と、節電実施前と節電実施後の一覧表（表８）と、アドバイス要否表（表９）を格納する。これら表１〜表８については、後述する。
また、メモリ４１０は、行動パターンに基づき、当該行動パターンの場合に必要とする電気機器および当該電気機器の省エネルギー時の消費電力を検索する検索部４１０１を備える。また、住宅に配置された電気機器の種類とその消費電力と、記憶部４１０１に記憶された電気機器の省エネルギー時の消費電力を比較するデータ処理部４１０２を備える。
【００２６】
また、メモリ４１０は、ユーザに節電アドバイスをするために、「節電アドバイス」を格納する。「節電アドバイス」は図１８、図１９、図３４により後述する。
ここでは、メモリ４１０に、表１〜表８を格納し、検索部４１０１およびデータ処理部４１０２を備えると説明したが、ハードディスク４０９および／またはメモリ４１０に格納してもよい。
メモリ４１０は、ＣＰＵ４０１が周辺のハードウエアと連係して情報処理するプログラムを予めインストールされているが、このようなプログラムはインラーネットなどに接続されているサーバー装置からダウンロードしてもよい。
【００２７】
（スマートタップ）
上記スマートタップ２００は、電源コンセントと電気機器１００との間に配置されて、電源コンセントに接続される電気機器１００の消費電力を測定し、コントローラ４００に通信するものであり、図３に示すような外観を有している。図３（ａ）正面斜視図を示し、図３（ｂ）は側面図を示し、図３（ｃ）は裏面斜視図を示す。
スマートタップ２００は、電気機器１００のプラグが挿入されるソケット２１１と、壁などに埋め込まれたコンセント（図示しない。）に差し込まれるプラグ２１２を有する。コンセントは、電力線３００からの電力を供給する差込口である。図３（ａ）に示すように、スマートセンサー２００の正面２１５には電気機器１００のプラグが差し込まれるソケット２１１が設けられる。一方、図３（ｂ）、図３（ｃ）に示すように、スマートセンサー２００の裏面２１７には電源コンセントに差し込むためのプラグ２１２が設けられる。
スマートタップ１００は、なるべく薄い方が望ましいので、側面２１６の厚さは可能な限り薄く設計される。
【００２８】
スマートタップ１００の正面２１５には、ＬＥＤ２１３および設定ボタン２１４が取り付けられる。ＬＥＤ２１３は、スマートタップ１００のデータ処理状態に応じて、点灯または消灯し、点滅の周期を変化させ、また、発光色を異ならせる。設定ボタン２１４は、ユーザ操作を受け付ける入力手段であり、ユーザによって押圧操作されると、スマートタップ１００の設定登録が行われる開始される。
【００２９】
図４は、スマートタップ２００を構成するブロック図を示す。スマートタップ２００は、図３に示したソケット２１１とプラグ２１２とを接続する一対の主配線２２５および２２６と、主配線２２６に挿入されたシャント抵抗２２７を有する。また、スマートタップ２００は、電力検出部２３０と、通信モジュール２４０と、電源部２６０を備える。
【００３０】
電源部２６０は、主配線２２５と２２６に接続され、交流電力を直流電力に変換して、電力検出部２３０および通信モジュール２４０に電力を供給する部分である。
電力検出部２３０は、プラグ２１２からソケット２１１へ流れる電力を検出し、電源コンセントに接続された電気機器１００の消費電力を検出する。そのため、電力検出部２３０は、主配線２２５と２２６に接続された電圧入力ＡＣ／ＤＣ２３１と、電流入力ＡＣ／ＤＣ２３２を備え、電圧入力ＡＣ／ＤＣ２３１の電圧検出値と、電流入力ＡＣ／ＤＣ２３２の電流検出値を乗算する乗算器２３４を備える。
電圧入力ＡＣ／ＤＣ２３１は、入力端子が主配線２２５と２２６に接続され、主配線２２５と２２６間に生じる電圧値（電位差）を検出し、その電圧をデジタル信号に変換して、乗算器２３４に出力する。
電流入力ＡＣ／ＤＣ２３２は、入力端子が主配線２２６に挿入されたシャント抵抗２２７の両端に接続され、微小抵抗（例えば、５００μΩ）であるシャント抵抗２２７に流れる電流により生じる電位差を検出することによって電流値を検出する。検出した電流値は、デジタル信号に変換して、乗算器２３４に出力する。
【００３１】
乗算器２３４は、電圧入力ＡＣ／ＤＣ２３１からのデジタル信号（電圧値）と、電流ＡＣ／ＤＣ２３２からのデジタル信号（電流値）とを乗算して、消費電力値（単位：ＷまたはｋＷ）を算出し、その出力を示すデジタル信号をデジタル／周波数変換部２３５へ出力する。
デジタル／周波数変換部２３５は、乗算器２３４からのデジタル信号を周波数に変換し、その結果得られた周波数信号を通信モジュール２４０に出力する。
【００３２】
通信モジュール２４０は、電力検出部２３０により検出された電気機器１００の消費電力を示す無線信号をアンテナ２５０より送信する。通信モジュール２４０は、ＣＰＵ２４１、ＲＯＭ２４２，ＲＡＭ２４３、ＧＰＩＯ（General Purpose Input/Output）２４４、無線ＲＦ部２４５を備える。
ＧＰＩＯ２４４は、デジタル／周波数変換部２１６より入力された周波数信号を受け、その周波数信号の情報をＣＰＵ２４１へ出力する。また、設定ボタン２１４の入力を受け付け、ＬＥＤ２１４によってスマートタップ２００の動作を表示する。
ＣＰＵ２４１は、ＧＰＩＯ２４４からの周波数信号の情報をＲＯＭ２４２に予め格納されているプログラムを実行することにより、所定のロジックに従ってデータ変換し、その結果を無線ＲＦ部２４５部へ出力する。無線ＲＦ部２４５は、ＣＰＵ２４１からのデータ変換結果に基づいて搬送波を変調して、無線信号を生成する。無線ＲＦ部２４５で生成された無線信号は、アンテナ２５０より電波が送出される。ＲＡＭ２４３は、ＣＰＵ２４１がプログラムを実行する場合に必要なデータを記憶する。
【００３３】
スマートタップ２００で測定された電気機器１００の消費電力情報は、次のようにして送信される。
例えば、スマートタップ２００が電気機器１００の消費電力を所定周期（例えば、１秒周期）ごとに測定し、その測定周期と同じ周期で測定された消費電力情報を送信する。
または、スマートタップ２００が電気機器１００の消費電力を所定周期（例えば、１秒周期）ごとに測定し、その測定周期より長い周期で測定された消費電力情報を送信する。この場合、前回の送信から今回の送信までの間に測定された複数の消費電力情報を送信する。あるいは、前回の送信から今回の送信までの間に測定された複数の消費電力を平均して、平均消費電力情報を送信する。または、前回の送信から今回の送信までの間に測定された複数の消費電力を積算した消費電力を付加して、複数の消費電力情報あるいは平均消費電力情報とともに送信する。更に、最大値、最小値を付加してもよい。
このように、スマートタップ２００より送信された消費電力情報は、コントローラ４００によって、各電気機器１００の消費電力および消費電力量を表示することが可能である。また、コントローラ４００は、複数の電気機器１００をグルーピング化して、そのグループごとの消費電力および消費電力量を表示することが可能である。
【００３４】
（コントローラ４００の表示画面）
次に、コントローラ４００のディスプレイ４０３に表示される画面について説明する。
図５に示すように、最初、ディスプレイ４０３に電気機器モニター画面４２０が表示される。この最初の画面は、ユーザの所定の行動パターンに関連付けられた電力管理オブジェクト４２２〜４２５を表示し、各電力管理オブジェクトに属する各電気機器の消費電力が一括して表示される。この電気機器モニター画面４２０により、ユーザの行動に対する電力消費の状態を一見して把握することが可能になる。
即ち、電気機器モニター画面４２０は、人の行動を類型化し、ユーザの行動に対応して、その行動に使用される電気機器とその電気機器の消費電力が、電力管理オブジェクト画面に表示される。図５は、ユーザの行動別に「ビデオを観る」、「調べ物をする」「寝る」、「（空白）」の４個の電力管理オブジェクト４２２〜４２５が設定される場合を示す。
【００３５】
例えば、「ビデオを観る」の電力管理オブジェクト４２２には、テレビと、レコーダーと、スピーカーと、照明が関連付けられている。「調べ物をする」の電力管理オブジェクト４２３には、エアコンと、パソコンが関連付けられている。「寝る」の電力管理オブジェクト４２４には、加湿器、電気毛布が関連付けられている。「（空白）」の電力管理オブジェクト４２５は、現在のところ、ユーザの分類すべき行動がないので、ユーザの行動及び関連する電気機器はなしである。この「（空白）」の電力管理オブジェクト４２４に、新たなユーザの行動を設定し、その行動に電気機器を関連付けることが可能である。ユーザの行動別と、対応の電気機器の関係は、各ユーザ、各行動によって異なり、また、時間、季節によっても異なる。図５は、例示であり、行動別の種類、各行動別に関連付けられる電気機器は、ユーザに対応して、季節に対応して、時刻に対応して設定可能である。
【００３６】
また、各電力管理オブジェクト４２２〜４２５には、スマートタップ２００によって測定された電気機器の消費電力（例えば、Ｗ、またはｋＷ）が表示される。図５の場合、行動別の電力管理オブジェクトに属する各電気機器の消費電力が小計された消費電力が表示されている。消費電力は、数値を表示する他に、グラフや表で表示してもよい。
【００３７】
電気機器モニター画面４２０は、下方部に「機器別」ボタン４２６、「部屋別」ボタン４２７、「行動別」ボタン４２８、「電気機器登録」ボタン４２９、「設定」ボタン４３０、「戻る」ボタン４３１の各ボタンが設けられる。
「機器別」ボタン４２６は、住宅に配置された電気機器１００の電力消費状態を表示させるためのボタンである。
「部屋別」ボタン４２７は、住宅内の各部屋に配置された電気機器１００の電力消費状態を表示させるためのボタンである。各部屋に配置された電気機器を一斉に表示させてもよいし、部屋を選択してその部屋に配置された電気機器の電力消費を表示させてもよい。
「行動別」ボタン４２８は、ユーザの行動別に分類され、当該行動に使用される電気機器１００の電力消費状態を表示させるためのボタンである。住宅に複数人所在の場合は、各個人の行動ごとに、当該行動に使用される電気機器１００の電力消費状態を表示させてもよい。
「電気機器登録」ボタン４２９は、電力管理オブジェクトに電気機器を登録するためのボタンである。
「設定」ボタン４３０は、スマートタップ２００と電気機器１００を対応付ける処理を実行する場合に使用されるボタンである。このボタンの使用は、図１０を使用して説明する。
「戻る」ボタン４３１は、スマートタップの電気機器登録画面を表示させる場合に使用するボタンである。
【００３８】
（コントローラ４００の詳細画面）
図６は、電力管理オブジェクトの選択操作画面４４０である。図６は、図５の電気機器モニター画面４２０において、電力管理オブジェクト４２２〜４２５を選択した場合を示す。即ち、ディスプレイ４０３に電力管理オブジェクト４２２〜４２５が表示され、その上のタブレット４０４をタッチすると、そのタッチした電力管理オブジェクトが選択される。図６は、「ビデオを観る」の電力管理オブジェクト４２２が選択（タップ）されたことを示す。
【００３９】
図７は、図６に示した電力管理オブジェクトの選択操作画面４４０において、「ビデオを観る」の電力管理オブジェクト４２２が選択されることにより、遷移した画面を示す。つまり、図６の画面において、「ビデオを観る」を選択すると、ビデオを観るときに使用される電気機器１００が展開され、電気機器オブジェクト４４１〜４４４が表示される。たとえば、「ビデオを観る」場合は、テレビ、レコーダー、スピーカー、照明が関連し、各電気機器の消費電力が表示される。この行動及び電気機器は、一例であり、ユーザが異なれば、同じ行動でも関連する電気機器が異なることがある。また、「ビデオを観る」場合も、家族が異なる場合、友人が異なる場合、ビデオの種類が異なる場合、季節が異なる場合、時刻が異なる場合に関連する電気機器が異なることがある。これらの場合は、設定によって変更することができる。
なお、図７において、電気機器オブジェクト４４１は、「テレビ」を示し、その消費電力を表示する。電気機器オブジェクト４４２は、「レコーダー」を示し、その消費電力を表示する。電気機器オブジェクト４４３は、「スピーカー」を示し、その消費電力を表示する。電気機器オブジェクト４４４は、「照明」を示し、その消費電力を表示する。図７の画面により、当該電力管理オブジェクトに属する各電気機器の消費電力を確認することができる。
【００４０】
図８は、別の操作画面４６０を説明する図である。
図８は、図６に示した電力管理オブジェクトの選択操作画面４４０において、選択操作をロングタッチした場合に表示される電力管理オブジェクトの一括操作画面４６０を示す。図８の画面で、例えば、「ビデオを観る」の電力管理オブジェクト４２２をロングタッチ操作すると、「ビデオを観る」の電力管理オブジェクト４２２に含まれる各電気機器を一括操作するためのダイアログ画面４６１が表示される。例えば、「電源オン／オフ」「モード切替」「キャンセル」のどれかを選択するダイアログ画面４６１が表示される。
【００４１】
ここで、例えば、「電源オン／オフ」を選択指示すると、「ビデオを観る」の電力管理オブジェクト４２２に登録された各電気機器に対して、一括して電源オン、あるいは電源オフの操作がコントローラ４００から出力され、その登録された各電気機器は一括して電源操作が行なわれる。例えば、「ビデオを観る」の電力管理オブジェクト４２２をロングタッチし、「電源オン／オフ」を選択指示すると、テレビ、レコーダー、照明、スピーカーの各電源が一括してオン、またはオフされる。
また、「モード切替」を選択指示した場合は、通常モードと節電モードが切替えられる。例えば、テレビのバックライトおよびレコーダーのバックライトの明るさが下げられ消費電力を少なくする操作と、スピーカーの出力を小さくして消費電力を少なくする操作と、ＬＥＤ照明の明るさを下げ消費電力を少なくする操作が、コントローラ４００から出力され、一括して節電操作が行なわれる。または、反対に、節電モードから通常モードに変更する操作が行われる。
また、「キャンセル」を選択指示した場合は、当該ダイアログ画面４６１の表示を終了する。
【００４２】
図９は、個別操作画面４６２を示す。
図９は、図７に示した電力管理オブジェクトの詳細画面４５０において、電気機器オブジェクト４４１〜４４４のどれかをロングタッチした場合にダイアログ画面４６３が現れることを示す。例えば、テレビの電気機器オブジェクト４４１をロングタッチすると、電源オン／オフ、モード切替、キャンセルを選択する個別操作のダイアログ画面４６３が表示される。ダイアログ画面４６３の操作指示を選択すると、その電気機器の操作を実行することができる。例えば、「電源オン・オフ」を選択した場合は、当該電気機器の電源をオンまたはオフすることができる。また、「モード切替」を選択した場合は、当該電気機器の節電モードと、通常モードを切替えることができる。また、「キャンセル」を選択した場合は、当該ダイアログ画面４６３の表示を終了することができる。
【００４３】
（スマートタップの電気機器登録）
次に、スマートタップの電気機器登録について説明する。
スマートタップ２００は、主配線２２５、２２６間の電圧及び主配線２２６に流れる電流を測定して、スマートタップに接続された電気機器１００の消費電力を測定するものであるが、予めスマートタップと電気機器の関係をコントローラ４００に予め登録する必要がある。
スメートタップ２００の登録操作のため、図５に示した電気機器モニター画面４２０において、設定ボタン４３０を押すと、図１０に示すように、スマートタップの電気機器の登録画面５１０が表示される。
スマートタップの電気機器の登録画面５１０は、コントローラ４００と通信可能なスマートタップ２００と、対応の電気機器を一覧表示する。一覧表示では、スマートタップの識別番号（例えば、ＭＡＣアドレス）と、電気機器の設置場所と、電気機器の名称が表示される。例えば、図１０に示すように、既に、１〜６のスマートタップは登録され、スマートタップの識別番号と、取付位置と、関係づけられた電気機器名が表示されている。この一覧表示は、ハードディスク４０９の登録テーブルに記憶されているものである。
【００４４】
スマートタップの登録画面５１０は、下方部に入れ替えボタン５１１、設定ボタン５１２、削除ボタン５１３、完了ボタン５１４、戻るボタン５１５を配置している。
ユーザが入れ替えボタン５１１を選択すると、一覧表示されているスマートタップの中、２つのスマートタップを選択することにより、２つのスマートタップ２００の間で、互いに接続されている電気機器１００を交換することができる。
また、設定ボタン５１２を選択すると、選択したスマートタップに電気機器を設定することができる。
また、削除ボタン５１３を選択すると、一覧表示の中から選択したスマートタップと、それに関連付けられた電気機器の登録を削除することができる。
また、完了ボタン５１４を選択すると、それ以前の操作が完了したとして、処理を終了し、電気機器モニター画面（図５）に戻る。
また、戻るボタン５１５は、このボタン５１５を押すと、電気機器モニター画面（図５）に戻る。
【００４５】
（電気機器と行動パターンの表）
上記図５の電気機器モニター画面４２０に示したように、例えば、「ビデオを観る」の電力管理オブジェクト４２２に複数の電気機器が関連付けられると、その対応付けの結果として、図１１に示すように、行動パターンとそれに属する電気機器の表１（ａ）が作成される。例えば、「ビデオを観る」の行動に、「テレビ」、「レコーダー」、「スピーカー」及び「照明」が登録される。また、逆に、電気機器と行動パターンの関係表１（ｂ）が作成される。なお、属性は１つに限らず、複数の行動パターン、または電気機器が登録されてもよい。具体的には、図１１（ｂ）に示したように、「照明」は、「ビデオを観る」「調べ物をする」「寝る」に関係づけられ得るので、図１１の表１（ｂ）に示すように、照明に、ビデオを観る」「調べ物をする」「寝る」の行動パターン情報が登録される。電気機器と行動パターンの表１は、コントローラ４００のメモリ４１０に格納する。あるいは、ハードディスク４０９および／またはメモリ４０１に格納する。
新たな行動パターンの設定および各行動パターンへの電気機器の関連付けは、この発明の電力管理装置の設計者によって行われるが、ユーザが図５に示した「空白」の電力管理オブジェクト４２５を利用して、タブレット４０４またはキーボードによって書き込むことにより作成することが可能である。そして、新たな行動パターンの設定および各行動パターンへの電気機器の関連付けが行われれば、図１１の行動パターンと電気機器の関連表（表１）は、書き換えられる。
この行動パターンと電気機器の関連表（表１）は、電力管理装置の設計者が表１を設定する。あるいは、外部ＷＥＢサーバーや、ネットを通じて取得する。あるいは、ユーザがタブレット４０４やキーボードを使用して、設定することができる。この表１は一例であり、ユーザが異なれば行動パターンと電気機器の関連が変わり、季節（夏と冬）、時刻（夜と昼）が異なれば行動パターンと電気機器の関連も変わる。また、人数、性、年齢が異なれば行動パターンと電気機器の関連も変わる。
【００４６】
（節電アドバイス）
次に、本発明の電力管理装置によって、ユーザに節電アドバイスし、その節電アドバイスに従った操作が行なわれたことを表示する電力管理装置について説明する。
まず、図５の電気機器モニター画面４２０に示すように、行動別の電力管理オブジェクト４２２〜４２５に関連付けられている各電気機器について、行動パターン毎の消費電力のデータベースとして、図１２に示すように、各行動パターンと、各電気機器と、その消費電力の一覧表（表２）を、コントローラ４００のハードディスク４０９および／またはメモリ４１０に格納する。あるいは、外部ＷＥＢサーバーや、ネットを通じて取得するようにしてもよい。この一覧表は一例であり、当該行動パターンにおいて、各電気機器の実行可能な目標電力値のような目標電力値を記録するものであり、電力管理装置の設計者が目標電力値を設定する。あるいは、外部ＷＥＢサーバーや、ネットを通じて取得する。あるいは、ユーザがタブレット４０４やキーボードを使用して目標電力値を入力し、設定することができる。この目標電力値は一例であり、ユーザが異なれば目標電力値が変わり、季節（夏と冬）、時刻（夜と昼）が異なれば目標電力値も変わる。また、人数、性、年齢が異なれば目標電力値も変わる。
【００４７】
また、図１３に示すように、各電気機器の設定と、消費電力の関係表（表３）を、コントローラ４００のハードディスク４０９および／またはメモリ４１０に格納する。この関係表３は電力管理者が設定するか、あるいは、外部ＷＥＢサーバーや、ネットを通じて取得するようにしてもよい。あるいは、ユーザがタブレット４０４やキーボードを使用して設定してもよい。この表３（ａ）に示すように、テレビはバックライトを最低輝度から最大輝度に調整することにより、消費電力は１００Ｗから２００Ｗに変化する。また、表３（ｂ）に示すように、ＬＥＤ照明は、最低輝度から最大輝度に調整することにより、消費電力は０Ｗから５０Ｗに変化する。また、表３（ｃ）に示すように、パソコンはバックライトを最低輝度から最大輝度に変化することにより、消費電力は５０Ｗから１５０Ｗに変化する。また、表３（ｄ）に示すように、レコーダーは、バックライトを最低輝度から最大輝度に調整することにより、消費電力は３０Ｗから４０Ｗに変化する。また、表３（ｅ）に示すように、電子レンジは、ＯＮ，ＯＦＦにより、消費電力は０Ｗと１０００Ｗに変化する。このような調整および消費電力の変化は一例であり、レディモードと、スリープモードの切替えのような、その他の調整であってもよい。また、消費電力の変化も更に急激、あるいは緩やかにしてもよい。
表２において、目標電力値は、表３の最小から最大のようなレベルを用いて設定してもよい。
【００４８】
（節電アドバイスの要求）
次に、ユーザがコントローラ４００に対して、節電アドバイスを要求する場合を説明する。
節電アドバイスの要求は、例えば、コントローラ４００のディスプレイ４０３が図５の電気機器モニター画面４２０を表示しているとき、リターンボタン４３１を押すと、図１４に示す消費電力リスト画面６１０が表示され、その画面の下方に「節電アドバイス」ボタン６１１が表示されるので、この「節電アドバイス」ボタン６１１を押すことにより実施される。電気機器モニター画面４２０のリターンボタン４３１は、「節電アドバイス」ボタン６１１に代えてもよい。
ユーザがある行動パターンを実行し、電気機器を使用しているときに、「節電アドバイス」ボタン６１１を押すと、画面は、図１５に示すように、アドバイスリクエスト画面６１２に遷移する。図１５に示すアドバイスリクエスト画面６１２は、ユーザが現在何をしているか問い合わせる画面である。即ち、アドバイスリクエスト画面６１２は、行動パターン候補として、「ビデオを観ている」ボタン７２１、「テレビを観ている」ボタン７２２、「パソコンをしている」ボタン７２３、・・・、「その他」ボタン７２７、「何もしていない」ボタン７２８、および「行動情報を送信する」ボタン７２９が表示される。ここで、ユーザは、現在の行動パターンに該当するボタン７２１〜７２８のどれかを押し、「行動情報を送信する」ボタン７２９を押す。すると、その行動情報がコントローラ４００に送信される。
【００４９】
コントローラ４００は、送信されたユーザの行動に基づいて、その行動の場合に使用される電気機器を図１１の表１（ａ）より検索部４１０１によって検索し、また、その行動の場合に使用される電気機器の目標消費電力を図１２に示した各行動パターンと各電気機器の目標消費電力表（表２）から取得する。そして、コントローラ４００は、現在ユーザが使用している電気機器とその消費電力値をスマートタップ２００から取得し、両者をデータ処理部４１０２によって比較する。即ち、図１６の表４に示すように、ユーザの現在の行動パターン「ビデオを観る」の場合に使用される電気機器および消費電力と、「ビデオを観る」場合に使用される各電気機器の目標電力値を一覧する表４（「ビデオを観る」の消費パターン比較表）を作成する。なお、図１６は表形式を示すが、これは理解しやすいように示したものであり、コンピュータがこのような表を作成する必要はない。図１６に示す表４は、電力値の比較表を示したが、図１３に示す表３の最小から最大のようなレベルで比較してもよい。例えば、テレビ、レコーダー、パソコンの場合は、バックライトの明るさのレベルで比較してもよい。また、テレビは音量の大きさのレベルで比較してもよい。また、パソコンはスタンバイ、スリープ等動作モードによって比較してもよい。
【００５０】
この表４によって、ユーザの現在の行動における各電気機器の消費電力値と、「ビデオを観る」場合に使用される各電気機器の目標電力値を比較することが可能である。両者を比較すると、「テレビ」、「レコーダー」、「パソコン」、「照明」において、ユーザの各電気機器の消費電力値は、「ビデオを観る」場合に使用される各電気機器の目標電力値より大きいことが分かる。ある場合には、各行動パターンと各電気機器の目標消費電力表（表２）に含まれない電気機器を使用している場合がある。
即ち、図１７の表５（各電気機器の目標電力値を上回る電気機器の抽出表）に示すように、ユーザの現在の行動における「テレビ」、「レコーダー」、「パソコン」、「照明」の消費電力値は、「ビデオを観る」場合に使用される各電気機器の目標電力値より、節電のアドバイスが必要である。しかし、電子レンジはアドバイスが不要である。また、各行動パターンと各電気機器の目標消費電力表（表２）に含まれない電気機器を使用している場合には、その電気機器は使用しないようにアドバイスする必要がある。従って、コントローラ４００は、図１８（ａ）に示す「節電アドバイス」をディスプレイ４０３に表示する。またはスピーカー４１１より音声出力する。この節電アドバイスと同時に、図１８（ｂ）に示した表６、即ち、ユーザの現在の行動における各電気機器の消費電力値表を表示する。この節電アドバイスにより、ユーザの現在の行動パターンでは、レコーダー、テレビ、パソコン、照明の消費電力が大きく、節電可能であることがユーザに理解される。このアドバイスは一例であり、ユーザが異なればアドバイスが変わり、季節（夏と冬）、時刻（夜と昼）が異なればアドバイスも変わる。また、人数、性、年齢が異なればアドバイスも変わる。
【００５１】
ユーザは、図１８（ａ）に示した節電アドバイスを見て、「テレビ」、「レコーダー」、「パソコン」、「照明」の消費電力を下げるよう操作した。例えば、図８に示す一括操作画面４６０のダイアログ画面４６１によってモード切替を選択して、節電操作した。または図９に示す個別操作画面４６２ダイアログ画面４６３によってモード切替を選択して、各電気機器に対して節電操作した。しかし、アドバイスのとおり節電しないものもある。この節電操作の際、一括操作画面４６０および個別操作画面４６２は、複数の節電モードを選択可能な画面を提供することが望ましい。ユーザは、節電モードを複数のレベルから選択して調整することが可能になる。
この節電操作の結果、図１９（ｂ）に示すように、ユーザの節電操作結果による各電気機器の消費電力値表(表７)を表示する。表７は、「テレビ」、「レコーダー」、「パソコン」、「照明」の消費電力値が表示され，図１８に示した表６（ユーザの現在の行動における各電気機器の消費電力値表）より消費電力値が低下したことが分かる。「テレビ」、「レコーダー」、「パソコン」、「照明」の消費電力値は、それぞれスマートタップ２００から取得したものである。なお、図１９（ｂ）の表７は一例であり、また、図１９（ａ）に示す節電は、「レコーダー」は、「節電操作されていません。更に、節電操作しましょう。」のように表示してもよい。また、「テレビ」は、「節電操作されました。」のように表示してもよい。また、「パソコン」は、「節電操作されました。」のように表示してもよい。また、「照明」は、「節電操作されていません。節電操作しましょう。」のように表示してもよい。
以上のような、各種節電アドバイスは、コントローラ４００のハードディスク４０９および／またはメモリ４１０に予め用意されおり、ＣＰＵ４０１がユーザの操作および処理に対応して、順次表示するものである。
【００５２】
以上のように、ユーザが節電アドバイスを要求し、表示された節電アドバイスに従って、節電操作を行った場合、図２０に示すように、節電実施前と、節電実施後の一覧表（表８）が作成される。この表８は、ユーザが節電操作を行なう度に更新される。なお、表８に示す節電実施前と、節電実施後の一覧表は、より節電操作が実施された電気機器についてのみ更新する。このように、更新を繰り返すことにより、最もよく節電操作された場合を、節電実施前と、節電実施後の一覧表として記録しておくことができる。従って、次に、ユーザが節電アドバイスを要求した場合、この表８に示す節電実施前と、節電実施後の一覧表から節電実施後の消費電力値を表示することにより、ユーザに最もよく節電操作した場合を示すことができ、ユーザに省エネルギー操作をアドバイスし、節電を学習させることができる。
以上の結果は、図２１に示すように、アドバイス要否表(表９)としてまとめられ、メモリ４１０に格納される。
【００５３】
（フローチャート）
図２２は、本発明の電力管理装置において、節電アドバイスを受ける場合の全体フローチャート図を示す。
本発明の電力管理装置において、節電アドバイスを受けるフローチャートを開始すると、まず、ステップＳ１では、節電アドバイスのための電力データベースを準備する。具体的には、図１１の行動パターンと電気機器の関係表（表１（ａ））と、電気機器と行動パターンの関係表（表１（ｂ））を用意する。また、図１２に示すように、ユーザの各行動パターンと、各電気機器の目標消費電力表（表２）を用意する。
【００５４】
次のステップＳ２は、ユーザから節電アドバイスの要求があったか確認する。即ち、図１５の消費電力リスト画面６１０において、「節電アドバイス」ボタン６１１が押されか否か判断する。「節電アドバイス」ボタン６１１が押されれば、次のステップＳ３に進む。しかし、「節電アドバイス」ボタン６１１が押されなければ、このステップを繰り返す。
次のステップＳ３は、ディスプレイ４０３に、図１５に示すアドバイスのリクエスト画面６１２を表示し、ユーザの行動情報を取得する。ユーザがアドバイスのリクエスト画面６１２からユーザの行動に該当する行動パターンボタンを押し、更に、「行動情報を送信する」ボタン７２９を押すと、コントローラ４００は、行動パターンに基づき、その行動パターンに使用される電気機器の種類と、消費電力（目標電力量）を、図１１の表１と、図１２の表２から取得する。このステップＳ４の詳細は、図２３により説明する。
【００５５】
次のステップＳ４では、図１６に示したユーザの現在の行動における各電気機器の消費電力値と、当該行動における各電気機器の目標電力値の比較表（表４）から、節電アドバイスが有効な電気機器を抽出する。即ち、図１６に示すように、ユーザの現在の行動における各電気機器の消費電力値と、「ビデオを観る」場合に使用される各電気機器の目標電力値との比較表（表４）から、図１７の表５に示すように、「テレビ」、「レコーダー」、「パソコン」、「照明」は、現在の消費電力は、各電気機器の目標消費電力より大きく、節電アドバイスが必要である。しかし、電子レンジはアドバイスが不要である。
従って、コントローラ４００は、図１８（ａ）に示す節電アドバイスをディスプレイ４０３に表示する。またはスピーカー４１１より音声出力する。この節電アドバイスと同時に、図１８（ｂ）に示した表６、即ち、ユーザの現在の行動における各電気機器の消費電力値を表示する。
【００５６】
ユーザは、図１８の表示を見て、図８の一括操作画面４６０、また図９の個別操作画面４６２により節電操作を行なう。一括操作画面４６０および個別操作画面４６２は、複数の節電モードレベルを選択する画面を提供することが望ましい。このように複数の節電モードレベルを選択する画面が提供されることにより、ユーザは複数の節電モードレベルを選択して、好みの調整をすることができる。この節電操作の結果は、スマートタップ２００によって各電気機器の消費電力が検出され、図１９（ａ）に示すように、節電操作の結果が表示される。また、図１９（ｂ）に示すように、節電操作の結果、低減された各電気機器の消費電力値表（表７）が表示される（ステップＳ５）。
【００５７】
以上のように、ユーザからの節電要求を受け、その節電要求を受けて電力管理装置が節電アドバイスし、その結果、ユーザが節電操作を実施した場合は、ステップ６では、図２０に示すように、節電実施前と節電実施後の表（表８）を作成する。
その後、節電実施前と節電実施後の表（表８）は、ステップＳ２へ戻され、次にユーザから節電要求があった場合、表８を利用してユーザに節電アドバイスが提供される。このようにして、ユーザが節電要求し、節電操作した結果によって、節電実施前と節電実施後の表（表８）を更新することができるので、ユーザは最新の節電操作の結果を利用することができる。
【００５８】
図２３は、上記ステップＳ４の詳細なフローチャートを示す。ステップＳ４によって、アドバイス可能な電気機器の抽出およびアドバイスの表示が行なわれるが、その詳細は次の通りである。
上記ステップＳ３により、ユーザが行動パターンを入力すると、電力管理装置は、ユーザの行動情報を取得し、その行動パターンに基づき、使用される電気器機器とその電気機器の目標消費電力値を読み取る。この情報に基づき、ステップＳ４１では、その行動パターンに基づき、図１１に示す行動パターンと電気機器の関係表（表１（ａ））を検索し、使用する電気機器を検索する。次に、ステップＳ４２では、検索された電気機器について、図１２に示す各行動パターンと各電気機器の目標消費電力表（表２）より、各電気機器の目標消費電力を検索する。次のステップ４３では、ユーザが現在使用している電気機器の消費電力をスマートタップ２００から取得し、その取得した電気機器の消費電力と、表２より検索した各電気機器の目標消費電力を比較する。
その結果、ユーザが現在使用している電気機器の消費電力が、各電気機器の目標消費電力より大きい電気機器があれば、ステップＳ４４で、アドバイス可能な電気機器として抽出する。
【００５９】
図２４は、上記ステップＳ５の詳細なフローチャートを示す。
ステップＳ５１では、上記ステップＳ４４により、節電アドバイス可能電気機器が抽出されたので、これに従いアドバイスを表示する。次にステップＳ５２は、上記ステップＳ４４で抽出された節電アドバイス可能な電気機器を取得し、次にステップＳ５３はアドバイス可能電気機器か判断する。アドバイスが可能と判断したら、ステップＳ５４でアドバイスを表示する。
図２５は、ユーザが節電操作を行なった結果を送信するフローチャートを示す。
上記ステップＳ５４でアドバイスが表示された結果、ユーザが節電操作を行なうと、ステップＳ５５で、節電操作の結果が送信され、次のステップＳ５６では節電操作結果を送信する操作を行なう。次に、ステップＳ５７は、各電気機器についてアドバイスを表示する。次に、ステップＳ５８は、現在の消費電力を取得し、送信する。
【００６０】
図２６は、上記ステップＳ６に示したデータベースの消費電力値更新の詳細なフローチャートを示す。
ステップＳ６１は、スマートタップ２００より各電気機器の消費電力値を取得する。次にステップＳ６２では、スマートタップ２００より取得した各電気機器の消費電力値から節電アドバイスを受けた電気機器を抽出し、節電アドバイスを受けていない電気機器は除外する。次にステップＳ６３では各行動パターンと各電気機器の目標消費電力表（表２）を現在の消費電力値に更新する。
【符号の説明】
【００６１】
１  電力管理装置
１００  電気機器
２００  スマートタップ
２１１  ソケット
２１２  プラグ
２１３  ＬＥＤ
２１４  設定ボタン
２２５  主配線
２２６  主配線
２２７  微小抵抗
２３０  電力検出部
２４０  通信モジュール
３００  電力線
３０１  ＣＴセンサー
３０２  ネットワーク
４００  コントローラ
４０２  タッチパネル
４０３  ディスプレイ
４０４  タブレット
４０９  ハードディスク
４１０  メモリ
５００  分電盤
６００  パワーコンディショナ
７００  外部サーバー
８００  電力系統
９００  ソーラーパネル
１０００  蓄電池
【図１】
2014087126.tif 000003
【図２】
2014087126.tif 000004
【図３】
2014087126.tif 000005
【図４】
2014087126.tif 000006
【図５】
2014087126.tif 000007
【図６】
2014087126.tif 000008
【図７】
2014087126.tif 000009
【図８】
2014087126.tif 000010
【図９】
2014087126.tif 000011
【図１０】
2014087126.tif 000012
【図１１】
2014087126.tif 000013
【図１２】
2014087126.tif 000014
【図１３】
2014087126.tif 000015
【図１４】
2014087126.tif 000016
【図１５】
2014087126.tif 000017
【図１６】
2014087126.tif 000018
【図１７】
2014087126.tif 000019
【図１８】
2014087126.tif 000020
【図１９】
2014087126.tif 000021
【図２０】
2014087126.tif 000022
【図２１】
2014087126.tif 000023
【図２２】
2014087126.tif 000024
【図２３】
2014087126.tif 000025
【図２４】
2014087126.tif 000026
【図２５】
2014087126.tif 000027
【図２６】
2014087126.tif 000028